【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
昇降路の上部に設けられ綱車から垂下した主索がかご側とつり合いおもり側の２列となる複数の巻上機と、この巻上機の下方の前記昇降路の両側に縦設された一対のガイドレールと、前記かごとつり合いおもりの上部に立設されつり部の先端が前記主索に係合し前記かごとつり合いおもりを前記主索に吊り下げる吊りフックと、前記かごとつり合いおもりの上下に設けられ先端の複数のガイドローラが前記ガイドレールに押圧されるローラ案内部とを備えたエレベータ。
【請求項２】
昇降路の上部に設けられ綱車から垂下した主索がかご側とつり合いおもり側の２列となる複数の巻上機群と、この巻上機群の片側の巻上機群の下方の前記昇降路に形成されかごが上昇する上昇昇降路及び前記巻上機群の他側の巻上機群の下方の前記昇降路に形成されかごが下降する下降昇降路と、この下降昇降路と前記上昇昇降路の両側に縦設されこの上昇昇降路と前記下降昇降路の少なくとも上下に切替ガイドレールを備えたガイドレールと、前記上昇昇降路及び下降昇降路に片側が固定され前記切替ガイドレールを旋回横転させるガイドレール切替機構と、前記かごとつり合いおもりの上部に横行部を介して立設され俯仰するつり部の先端が前記主索に係合し前記かごとつり合いおもりを前記主索に吊り下げる吊りフックと、前記横行部を介して前記吊りフックを駆動するフック駆動機構と、前記かごとつり合いおもりの上下に旋回自在に設けられ先端の複数のガイドローラが前記ガイドレールに押圧され前記切替ガイドレールの旋回で回転するローラ案内部と、前記上昇昇降路と下降昇降路に横行自在に設けられ俯仰腕の先端が前記かごに係合して前記かごとつり合いおもりを横行移動させる横行駆動機構とを備えたエレベータ。
【請求項３】
前記上昇昇降路と下降昇降路の中層部に、前記上昇昇降路と下降昇降路の間を前記切替ガイドレールと横行駆動機構を介して前記かごが移動する横行路を形成したことを特徴とする請求項２に記載のエレベータ。
【請求項４】
前記昇降路の上方に乗換え点を介して延長昇降路を設け、この延長昇降路の上部に前記巻上機群を設置したことを特徴とする請求項１乃至請求項３に記載のエレベータ。
【請求項５】
前記昇降路に前記かごが前記切替ガイドレールと横行駆動機構を介して出入するかご待機路と前記つり合いおもりが前記切替ガイドレールと横行駆動機構を介して出入するおもり待機路を設け、前記昇降路の中層階に前記かごが前記切替ガイドレールと横行駆動機構を介して出入する中間待機路を設けたことを特徴とする請求項１乃至請求項４のいずれかに記載のエレベータ。
【請求項６】
前記各巻上機群の各巻上機に、前記横行路又は待機路から前記切替ガイドレールと前記横行駆動機構を介して前記昇降路に移動する前記かごと前記つり合いおもりを吊り下げる前記主索の張力を増加させるジャッキアップ機構を設けたことを特徴とする請求項２乃至請求項５のいずれかに記載のエレベータ。
【請求項７】
前記ローラ案内部の旋回軸の軸心と前記切替ガイドレールの旋回軸を偏心させたことを特徴とする請求項２乃至請求項５のいずれかに記載のエレベータ。
【請求項８】
前記複数のガイドローラを、前記ガイドレールのコ字状の溝に遊嵌する内側ガイドローラと、前記ガイドレールの溝の外面側の上下に押圧される外側ガイドローラとで構成したことを特徴とする請求項２乃至請求項７のいずれかに記載のエレベータ。
【請求項９】
前記ガイドレール切替機構を、前記昇降路に設けた電動機と、この電動機の回転を前記切替ガイドレールの旋回軸に伝達する動力伝達機構とで構成したことを特徴とする請求項２乃至請求項８のいずれかに記載のエレベータ。
【手続補正２】
【補正対象書類名】明細書
【補正対象項目名】０００９
【補正方法】変更
【補正の内容】
【０００９】
請求項２に対応する発明のエレベータは、綱車から垂下した主索がかご側とつり合いおもり側の２列となる複数の巻上機群を昇降路の上部に設け、この巻上機群の片側の巻上機群の下方の昇降路にかごが上昇する上昇昇降路を形成し、巻上機群の他側の巻上機群の下方の昇降路にかごが下降する下降昇降路を形成し、この下降昇降路と上昇昇降路の両側にこの上昇昇降路と下降昇降路の少なくとも上下に切替ガイドレールを備えたガイドレールを縦設し、切替ガイドレールを旋回横転させるガイドレール切替機構を上昇昇降路及び下降昇降路に片側に固定し、俯仰するつり部の先端が主索に係合しかごとつり合いおもりを主索に吊り下げる吊りフックをかごとつり合いおもりの上部に横行部を介して立設し、横行部を介して吊りフックを駆動するフック駆動機構を設け、先端の複数のガイドローラがガイドレールに押圧され切替ガイドレールの旋回で回転するローラ案内部をかごとつり合いおもりの上下に旋回自在に設け、俯仰腕の先端がかごに係合してかごとつり合いおもりを横行移動させる横行駆動機構を上昇昇降路と下降昇降路に横行自在に設けたことを特徴とする。
【手続補正３】
【補正対象書類名】明細書
【補正対象項目名】００１１
【補正方法】変更
【補正の内容】
【００１１】
また、特に請求項４に対応する発明のエレベータは、昇降路の上方に乗換え点を介して延長昇降路を設け、この延長昇降路の上部に巻上機群を設置したことを特徴とする。
【手続補正４】
【補正対象書類名】明細書
【補正対象項目名】００１２
【補正方法】変更
【補正の内容】
【００１２】
また、特に請求項５に対応する発明のエレベータは、昇降路にかごが切替ガイドレールと横行駆動機構を介して出入するかご待機路とつり合いおもりが切替ガイドレールと横行駆動機構を介して出入するおもり待機路を設け、昇降路の中層階にかごが切替ガイドレールと横行駆動機構を介して出入する中間待機路を設けたことを特徴とする。
【手続補正５】
【補正対象書類名】明細書
【補正対象項目名】０１１２
【補正方法】変更
【補正の内容】
【０１１２】
また、請求項２に対応する発明によれば、綱車から垂下した主索がかご側とつり合いおもり側の２列となる複数の巻上機群を昇降路の上部に設け、この巻上機群の片側の巻上機群の下方の昇降路にかごが上昇する上昇昇降路を形成し、巻上機群の他側の巻上機群の下方の昇降路にかごが下降する下降昇降路を形成し、この下降昇降路と上昇昇降路の両側にこの上昇昇降路と下降昇降路の少なくとも上下に切替ガイドレールを備えたガイドレールを縦設し、切替ガイドレールを旋回横転させるガイドレール切替機構を上昇昇降路及び下降昇降路に片側に固定し、俯仰するつり部の先端が主索に係合しかごとつり合いおもりを主索に吊り下げる吊りフックをかごとつり合いおもりの上部に横行部を介して立設し、横行部を介して吊りフックを駆動するフック駆動機構を設け、先端の複数のガイドローラがガイドレールに押圧され切替ガイドレールの旋回で回転するローラ案内部をかごとつり合いおもりの上下に旋回自在に設け、俯仰腕の先端がかごに係合してかごとつり合いおもりを横行移動させる横行駆動機構を上昇昇降路と下降昇降路に横行自在に設けることで、各主索にかごを吊設し、昇降路の上下においてガイドレール切替機構で切替ガイドレールを駆動し、フック駆動機構で吊りフックを駆動し、かごを横行駆動機構で横に移動させて、上昇昇降路と下降昇降路の間を横行させたので、昇降路の占める床面積を増やすことなく、利用者の輸送力を上げることのできるエレベータを得ることができる。
【手続補正６】
【補正対象書類名】明細書
【補正対象項目名】０１１４
【補正方法】変更
【補正の内容】
【０１１４】
また、特に請求項４に対応する発明によれば、昇降路の上方に乗換え点を介して延長昇降路を設け、この延長昇降路の上部に巻上機群を設置することで、上層階の利用者は、延長昇降路のかごで搬送したので、昇降路の占める床面積を増やすことなく、利用者の輸送力を上げることのできるエレベータを得ることができる。
【手続補正７】
【補正対象書類名】明細書
【補正対象項目名】０１１５
【補正方法】変更
【補正の内容】
【０１１５】
また、特に請求項５に対応する発明によれば、昇降路にかごが切替ガイドレールと横行駆動機構を介して出入するかご待機路とつり合いおもりが切替ガイドレールと横行駆動機構を介して出入するおもり待機路を設け、昇降路の中層階にかごが切替ガイドレールと横行駆動機構を介して出入する中間待機路を設けることで、利用者に対応するかごを待機所に出入するかごによって調節したので、昇降路の占める床面積を増やすことなく、利用者の輸送力を上げることのできるエレベータを得ることができる。